(57)【特許請求の範囲】
【請求項１】
固定筒と；
前記固定筒の内部に設けられ，光軸方向に移動可能な第１のレンズ枠と；
前記固定筒の内部に設けられ，光軸方向に移動可能な第２のレンズ枠と；
前記固定筒に対して回動可能に設けられ，前記第１のレンズ枠を駆動するためのカムが設けられた第１のリングと；
前記第１のリングよりも被写体側に前記固定筒に対して回動可能に設けられ，前記第２のレンズ枠を駆動するためのカムが設けられた第２のリングと；
前記第１のリングと一体に設けられ，前記第２のリングの外周を覆うように被写体側に延在する延長部と；
前記第１のリング及び前記第２のリングの各々に係合し、かつ前記固定筒に固定されて前記第１及び前記第２のリングの回転位置を共に固定するロックつまみと；
を備えたことを特徴とする，監視用レンズ装置。
【請求項２】
前記延長部に設けられ，前記第１のリングを操作する際に保持される第１の操作部と，
前記第２のリングに設けられ，前記第２のリングを操作する際に保持される第２の操作部と，を更に備え，
前記第１の操作部と前記第２の操作部が被写体側の端部近傍に近接して設けられたことを特徴とする，請求項１に記載の監視用レンズ装置。
【請求項３】
前記ロックつまみは，前記第１のリングの前記延長部に設けられた開孔部に挿通されて前記第２のリングに設けられたネジ孔と係合するネジ部と，前記延長部の外周面に対向するフランジ部と，を有しており，締め込まれることによって，前記ネジ部の先端が前記固定筒に当接すると共に，前記フランジ部が前記延長部の外周面に当接することを特徴とする，請求項１又は２に記載の監視用レンズ装置。
【請求項４】
前記開孔部は，前記第１のリングと前記第２のリングの相対的な角度位置の変化に応じた長孔形状とされていることを特徴とする，請求項３に記載の監視用レンズ装置。
【請求項５】
前記第１のレンズ枠はズーム調整用のレンズを保持し，前記第２のレンズ枠はフォーカス調整用のレンズを保持し，前記第１のリングはズームリングであり，前記第２のリングはフォーカスリングであることを特徴とする，請求項１〜４のいずれかに記載の監視用レンズ装置。
【請求項６】
固定筒と，前記固定筒の内部に設けられ，光軸方向に移動可能な第１のレンズ枠と，前記固定筒の内部に設けられ，光軸方向に移動可能な第２のレンズ枠と，前記固定筒に対して回動可能に設けられ，前記第１のレンズ枠を駆動するためのカムが設けられた第１のリングと，前記第１のリングよりも被写体側に前記固定筒に対して回動可能に設けられ，前記第２のレンズ枠を駆動するためのカムが設けられた第２のリングと，前記第１のリングと一体に設けられ，前記第２のリングの外周を覆うように被写体側に延在する延長部と，前記第１のリング及び前記第２のリングの各々に係合し、かつ前記固定筒に固定されて前記第１及び前記第２のリングの回転位置を共に固定するロックつまみと、を有する監視用レンズ装置と；
前記監視用レンズ装置の被写体側を覆う透明なケース部材と；
前記ケース部材よりも前記監視用レンズ装置側に設けられ，前記監視用レンズ装置を覆い，前記監視用レンズ装置の被写体側の先端部に対応する開口を有するカバー部材と；
を備えたことを特徴とする，監視カメラ。
【請求項７】
前記監視用レンズ装置の前記延長部に設けられ，前記第１のリングを操作する際に保持される第１の操作部と；
前記監視用レンズ装置の前記第２のリングに設けられ，前記第２のリングを操作する際に保持される第２の操作部と，を更に備え；
前記第１の操作部と前記第２の操作部が前記監視用レンズ装置の被写体側の端部近傍に近接して設けられたことを特徴とする，請求項６に記載の監視カメラ。
【請求項８】
前記ロックつまみは，前記第１のリングの前記延長部に設けられた開孔部に挿通されて前記第２のリングに設けられたネジ孔と係合するネジ部と，前記延長部の外周面に対向するフランジ部と，を有しており，締め込まれることによって，前記ネジ部の先端が前記固定筒に当接すると共に，前記フランジ部が前記延長部の外周面に当接することを特徴とする，請求項６又は７に記載の監視カメラ。
【請求項９】
前記開孔部は，前記第１のリングと前記第２のリングの相対的な角度位置の変化に応じた長孔形状とされていることを特徴とする，請求項８に記載の監視カメラ。
【請求項１０】
前記第１のレンズ枠はズーム調整用のレンズを保持し，前記第２のレンズ枠はフォーカス調整用のレンズを保持し，前記第１のリングはズームリングであり，前記第２のリングはフォーカスリングであることを特徴とする，請求項６〜９のいずれかに記載の監視カメラ。
【発明の詳細な説明】
【技術分野】
【０００１】
本発明は，監視用レンズ装置及び監視カメラに関する。
【背景技術】
【０００２】
近時においては，例えば金融機関，商品を販売する店舗等において，監視カメラ（監視用CCTVカメラ）が広く用いられている。特に近年では，ドーム型の小型の監視カメラの需要が高くなっている。
【０００３】
図４は，ドーム型の監視カメラ１００を示す斜視図である。また，図５は，監視カメラ１００が天井に取り付けられた状態を示す断面図である。図４及び図５に示すように，監視カメラ１００はドーム状の外観を有しており，基台１０２，透明のケース部材１０４，ケース部材１０４の内部に配置される監視用レンズ装置１０６を備えている。図５に示すように，監視用レンズ装置１０６は，基台１０２に対して角度θを可変できるように取り付けられる。また，監視用レンズ装置１０６は，基台１０２に対して中心線Ｃを回転軸として回転することができる。
【０００４】
図４及び図５に示すように，ケース部材１０４の内側では，監視用レンズ装置１０６にカバー部材１０８が装着されている。カバー部材１０８は，監視用レンズ装置１０６を覆い隠すために設けられている。カバー部材１０８には，監視用レンズ装置１０６の角度θが変化する範囲に対応した開口１１０が設けられている。カバー部材１０８は，監視用レンズ装置１０６とともに，基台１０２に対して中心線Ｃを回転軸として回転することができる。
【０００５】
監視用レンズ装置１０６の外周には，フォーカス位置を調整するためのフォーカスリング１１２と，焦点距離を調整するためのズームリング１１４とが設けられている。フォーカスリング１１２，ズームリング１１４は，監視用レンズ装置１０６が備えるフォーカスレンズ（群），ズームレンズ（群）の位置に対応して設けられており，監視用レンズ装置１０６の鏡筒の前側（被写体側）と後側にそれぞれ設けられている。
【０００６】
フォーカスリング１１２，およびズームリング１１４には，ロックつまみ１１６，１１８がそれぞれ設けられている。ロックつまみ１１６，１１８は，フォーカスリング１１２，ズームリング１１４のそれぞれにネジ係合している。ロックつまみ１１６，１１８を締め込むと，ロックつまみ１１６，１１８の先端が内部の部材に当接し，フォーカスリング１１２，ズームリング１１４の回転位置が固定される。
【０００７】
監視カメラ１００が店舗等の天井，壁面等に設置され，監視用レンズ装置１０６の光軸の向きが所定の方向に設定されると，ケース部材１０４を取り外した状態で，焦点距離，フォーカス位置の調整が行われる。この際，カバー部材１０８は監視用レンズ装置１０６と一体的に構成され，カバー部材１０８の取り外しには煩雑な作業が必要となることから，焦点距離，フォーカス位置の調整は，作業者がカバー部材１０８の開口１１０から指先を挿入して，フォーカスリング１１２，ズームリング１１４を手動で操作することにより行われる。そして，焦点距離，焦点位置が所望の状態に設定された後は，ロックつまみ１１６，１１８を締め込むことで，フォーカスリング１１２，ズームリング１１４が固定される。
【０００８】
【特許文献１】特開２０００−３０５１３８号公報
【特許文献２】特開２０００−２０９４７１号公報
【特許文献３】特開２００１−４５３４４号公報
【発明の開示】
【発明が解決しようとする課題】
【０００９】
しかしながら，近時の監視カメラ１００は小型化されており，搭載される監視用レンズ装置１０６もまた小型化されている。そして，小型の監視カメラ１００では，フォーカスリング１１２，ズームリング１１４の周辺に必要最小限のスペースしか確保することができないという事態が生じている。このため，フォーカスリング１１２，ズームリング１１４の周辺に指先を挿入することが困難となり，フォーカス，およびズームの調整を簡便に行うことができないという問題が生じている。
【００１０】
特に小型の監視カメラ１００では，カバー部材１０８の開口１１０は，監視用レンズ装置１０６の径に応じた必要最小限の範囲（幅２ｃｍ〜３ｃｍ程度）で設けられている。このため，操作者は，狭い開口１１０から内部に指先を挿入してフォーカスリング１１２，ズームリング１１４を操作する必要があり，非常に煩雑な作業が必要とされていた。特に，ズームリング１１４はカバー部材１０８内の奥側に配置されるため，操作者が指先を基台１０２の近傍まで差し込んで，ズームリング１１４を回転させるという煩雑な操作が必要とされていた。
【００１１】
同様に，ロックつまみ１１６，１１８を操作する際においても，狭い開口１１０から指先を挿入して操作をする必要があるため，非常に煩雑な作業が要求されていた。このため，ロックつまみ１１６，１１８の締め付けが不十分になることが想定され，監視カメラ１００の使用中にロックつまみ１１６，１１８による固定が解除されてしまい，フォーカス位置，ズーム位置の設定がずれてしまう虞が生じていた。このような場合，監視カメラ１００により所望の像を得ることができなくなるという問題が生じる。
【００１２】
特に，図５に示す監視用レンズ装置１０６の角度θが小さい場合は，基台１０２と監視用レンズ装置１０６との間の空間が狭くなるため，フォーカスリング１１２，ズームリング１１４，ロックつまみ１１６，１１８の操作がより困難になるという問題が生じていた。
【００１３】
更に，監視カメラ１００がケース部材１０４，カバー部材１０８を有していない場合においても，フォーカスリング１１２，ズームリング１１４の操作が煩雑になる場合があった。上述のように，フォーカスリング１１２，ズームリング１１４の操作は監視用レンズ装置１０６の光軸の向きを所定の方向に設定した後に行われるため，操作者の体の向き，手の向きに対して，監視用レンズ装置１０６が操作しづらい方向を向いている場合は，手を捻るなどしてリングを操作することになり，煩雑な作業が必要となるという問題が生じていた。この場合においても，特にズームリング１１４は監視用レンズ装置１０６の基台１０２側（操作者から見て奥側）に配置されるため，操作が難しくなるという問題が生じていた。
【００１４】
そこで，本発明は，上記問題に鑑みてなされたものであり，本発明の目的とするところは，フォーカス，ズームの調整を容易に行うことが可能な，新規かつ改良された監視用レンズ装置及び監視カメラを提供することにある。
【課題を解決するための手段】
【００１５】
上記課題を解決するために，本発明のある観点によれば，固定筒と，前記固定筒の内部に設けられ，光軸方向に移動可能な第１のレンズ枠と，前記固定筒の内部に設けられ，光軸方向に移動可能な第２のレンズ枠と，前記固定筒に対して回動可能に設けられ，前記第１のレンズ枠を駆動するためのカムが設けられた第１のリングと，前記第１のリングよりも被写体側に前記固定筒に対して回動可能に設けられ，前記第２のレンズ枠を駆動するためのカムが設けられた第２のリングと，前記第１のリングと一体に設けられ，前記第２のリングの外周を覆うように被写体側に延在する延長部と，前記第１のリング及び前記第２のリングの各々に係合し、かつ前記固定筒に固定されて前記第１及び前記第２のリングの回転位置を共に固定するロックつまみと，を備える監視用レンズ装置が提供される。
【００１６】
かかる構成によれば，第１のレンズ枠は光軸方向に移動可能とされて固定筒の内部に設けられ，第２のレンズ枠は光軸方向に移動可能とされて固定筒の内部に設けられる。第１のレンズ枠を駆動するためのカムが設けられた第１のリングは，固定筒に対して回動可能に設けられる。また，第２のレンズ枠を駆動するためのカムが設けられた第２のリングは，第１のリングよりも被写体側に固定筒に対して回動可能に設けられる。延長部は，第１のリングと一体に設けられ，第２のリングの外周を覆うように被写体側に延在する。従って，監視用レンズ装置の被写体側では，被写体側に配置された第２のリングを操作することができ，且つ，延長部が被写体側に延在しているため，第１のリングを操作することが可能となる。
【００１７】
また，前記延長部に設けられ，前記第１のリングを操作する際に保持される第１の操作部と，前記第２のリングに設けられ，前記第２のリングを操作する際に保持される第２の操作部と，を更に備え，前記第１の操作部と前記第２の操作部が被写体側の端部近傍に近接して設けられたものであってもよい。
【００１８】
かかる構成によれば，第１のリングを操作する際に保持される第１の操作部は延長部に設けられ，第２のリングを操作する際に保持される第２の操作部は第２のリングに設けられる。そして，第１の操作部と第２の操作部は被写体側の端部近傍に近接して設けられる。従って，監視用レンズ装置の被写体側の端部近傍で第１の操作部と第２の操作部を容易に操作することができる。
【００１９】
また，前記ロックつまみは，前記第１のリングの前記延長部に設けられた開孔部に挿通されて前記第２のリングに設けられたネジ孔と係合するネジ部と，前記延長部の外周面に対向するフランジ部と，を有しており，締め込まれることによって，前記ネジ部の先端が前記固定筒に当接すると共に，前記フランジ部が前記延長部の外周面に当接するものであってもよい。
【００２０】
かかる構成によれば，ロックつまみが延長部に設けられるため，ロックつまみは監視用レンズ装置の被写体側に設けられることとなり，ロックつまみの操作を容易に行うことができる。また，第１及び第２のリングの回転位置を共に固定することができるため，煩雑な作業を伴うことなく，第１及び第２のリングの回転位置を固定することができる。
【００２１】
また，前記開孔部は，前記第１のリングと前記第２のリングの相対的な角度位置の変化に応じた長孔形状とされているものであってもよい。
【００２２】
かかる構成によれば，第１のリングと第２のリングの相対的な角度位置が変化した場合に，開孔部の端部とロックつまみが当接してしまうことを回避できる。
【００２３】
また，前記第１のレンズ枠はズーム調整用のレンズを保持し，前記第２のレンズ枠はフォーカス調整用のレンズを保持し，前記第１のリングはズームリングであり，前記第２のリングはフォーカスリングである構成としてもよい。
【００２４】
かかる構成によれば，ズームリングを操作することによってズーム調整用のレンズを駆動することができ，フォーカスリングを操作することによってフォーカス調整用のレンズを駆動することができる。
【００２５】
また，上記課題を解決するために，本発明の別の観点によれば，固定筒と，前記固定筒の内部に設けられ，光軸方向に移動可能な第１のレンズ枠と，前記固定筒の内部に設けられ，光軸方向に移動可能な第２のレンズ枠と，前記固定筒に対して回動可能に設けられ，前記第１のレンズ枠を駆動するためのカムが設けられた第１のリングと，前記第１のリングよりも被写体側に前記固定筒に対して回動可能に設けられ，前記第２のレンズ枠を駆動するためのカムが設けられた第２のリングと，前記第１のリングと一体に設けられ，前記第２のリングの外周を覆うように被写体側に延在する延長部と，前記第１のリング及び前記第２のリングの各々に係合し、かつ前記固定筒に固定されて前記第１及び前記第２のリングの回転位置を共に固定するロックつまみと、を有する監視用レンズ装置と，前記監視用レンズ装置の被写体側を覆う透明なケース部材と，前記ケース部材よりも前記監視用レンズ装置側に設けられ，前記監視用レンズ装置を覆い，前記監視用レンズ装置の被写体側の先端部に対応する開口を有するカバー部材と，を備えた監視カメラが提供される。
【００２６】
かかる構成によれば，監視用レンズ装置の第１のレンズ枠は光軸方向に移動可能とされて固定筒の内部に設けられ，第２のレンズ枠は光軸方向に移動可能とされて固定筒の内部に設けられる。監視用レンズ装置の第１のリングは，第１のレンズ枠を駆動するためのカムが設けられ，固定筒に対して回動可能に設けられる。また，監視用レンズ装置の第２のリングは，第２のレンズ枠を駆動するためのカムが設けられ，第１のリングよりも被写体側に固定筒に対して回動可能に設けられる。監視用レンズ装置の延長部は，第１のリングと一体に設けられ，第２のリングの外周を覆うように被写体側に延在する。また，透明なケース部材は，監視用レンズ装置の被写体側を覆い，カバー部材は，ケース部材よりも監視用レンズ装置側に監視用レンズ装置を覆うように設けられ，監視用レンズ装置の被写体側の先端部に対応する開口を有する。従って，監視用レンズ装置の被写体側では，被写体側に配置された第２のリングを操作することができ，且つ，延長部が被写体側に延在しているため，第１のリングを操作することが可能となる。このため，カバー部材の開口が狭い場合，若しくは，監視用レンズ装置の周辺に十分なスペースが確保できない場合であっても，監視用レンズ装置の被写体側で第１及び第２のリングを容易に操作することができる。
【００２７】
また，前記監視用レンズ装置の前記延長部に設けられ，前記第１のリングを操作する際に保持される第１の操作部と，前記監視用レンズ装置の前記第２のリングに設けられ，前記第２のリングを操作する際に保持される第２の操作部と，を更に備え，前記第１の操作部と前記第２の操作部が前記監視用レンズ装置の被写体側の端部近傍に近接して設けられたものであってもよい。
【００２８】
かかる構成によれば，第１のリングを操作する際に保持される第１の操作部は監視用レンズ装置の延長部に設けられ，第２のリングを操作する際に保持される第２の操作部は監視用レンズ装置の第２のリングに設けられる。そして，第１の操作部と第２の操作部は監視用レンズ装置の被写体側の端部近傍に近接して設けられる。従って，監視用レンズ装置の被写体側の端部近傍で第１の操作部と第２の操作部を容易に操作することができる。
【００２９】
また，前記ロックつまみは，前記第１のリングの前記延長部に設けられた開孔部に挿通されて前記第２のリングに設けられたネジ孔と係合するネジ部と，前記延長部の外周面に対向するフランジ部と，を有しており，締め込まれることによって，前記ネジ部の先端が前記固定筒に当接すると共に，前記フランジ部が前記延長部の外周面に当接するものであってもよい。
【００３０】
かかる構成によれば，ロックつまみが延長部に設けられるため，ロックつまみは監視用レンズ装置の被写体側に設けられることとなり，ロックつまみの操作を容易に行うことができる。また，第１及び第２のリングの回転位置を共に固定することができるため，煩雑な作業を伴うことなく，第１及び第２のリングの回転位置を固定することができる。
【００３１】
また，前記開孔部は，前記第１のリングと前記第２のリングの相対的な角度位置の変化に応じた長孔形状とされているものであってもよい。
【００３２】
かかる構成によれば，第１のリングと第２のリングの相対的な角度位置が変化した場合に，開孔部の端部とロックつまみが当接してしまうことを回避できる。
【００３３】
また，前記第１のレンズ枠はズーム調整用のレンズを保持し，前記第２のレンズ枠はフォーカス調整用のレンズを保持し，前記第１のリングはズームリングであり，前記第２のリングはフォーカスリングである構成としてもよい。
【００３４】
かかる構成によれば，ズームリングを操作することによってズーム調整用のレンズを駆動することができ，フォーカスリングを操作することによってフォーカス調整用のレンズを駆動することができる。
【発明の効果】
【００３５】
本発明によれば，フォーカス，ズームの調整を容易に行うことが可能な，新規かつ改良された監視用レンズ装置及び監視カメラを提供することが可能となる。
【発明を実施するための最良の形態】
【００３６】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００３７】
図１は，本発明の一実施形態にかかる監視用レンズ装置１０と，その周辺の構成を示す模式図である。監視用レンズ装置１０は，後述するように，主として監視用のカメラに用いられるものである。図１に示すように，監視用レンズ装置１０は，フォーカスリング１２，ズームリング１４，およびロックつまみ１６を外周に備えている。また，監視用レンズ装置１０には，後述する赤外線フィルタを駆動するための駆動装置１８が設けられている。
【００３８】
図２は，監視用レンズ装置１０の構成を詳細に示す断面図であって，光軸と図１に示す一点鎖線I-Iとを含む面に沿った断面を示している。図２に示すように，監視用レンズ装置１０は固定筒２０を備えている。固定筒２０の内部には，レンズ枠２２，およびレンズ枠２４が配置されている。また，フォーカスリング１２，ズームリング１４は，固定筒２０の外側に配置されている。
【００３９】
レンズ枠２２は，固定筒２０内の被写体側（前側）に配置されており，フォーカスレンズ（群）２６を保持する枠である。レンズ枠２２には，その周面よりも突出する係合ピン２８が装着されている。一方，固定筒２０には，光軸方向に直進溝３０が形成されており，係合ピン２８が直進溝３０に係合することによって，レンズ枠２２およびフォーカスレンズ２６が，直進溝３０にガイドされて光軸方向に直進移動するように構成されている。
【００４０】
レンズ枠２４は，固定筒２０内においてレンズ枠２２よりも後側に配置されている。レンズ枠２４は，ズームレンズ（群）３２を保持する枠である。レンズ枠２４には，その周面よりも突出する係合ピン３４が装着されている。一方，固定筒２０には，光軸方向に直進溝３６が形成されており，係合ピン３４が直進溝３６に係合することによって，レンズ枠２４およびズームレンズ３２が，直進溝３６にガイドされて光軸方向に直進移動するように構成されている。
【００４１】
フォーカスリング１２は，レンズ枠２２が配置される部位において，固定筒２０の外周面に回動可能に配置されている。フォーカスリング１２の内周面には，光軸に対して螺旋状にカム溝３８が形成されている。レンズ枠２２に装着された係合ピン２８は，フォーカスリング１２のカム溝３８に係合する。従って，フォーカスリング１２を回動操作すると，フォーカスリング１２のカム溝３８と固定筒２０の直進溝３０との交差位置が光軸方向に変位するとともに，その交差位置に従って係合ピン２８，レンズ枠２２，およびフォーカスレンズ２６が光軸方向に変位する。このように，フォーカスリング１２を回動操作することによって，フォーカスレンズ２６の設定位置を調整してピント調整を行うことができる。
【００４２】
ズームリング１４は，フォーカスリング１２よりも後側において，固定筒２０の外周面に回動可能に配置されている。また，ズームリング１４には，フォーカスリング１２側に延長部１５が設けられている。延長部１５では，フォーカスリング１２の外周に覆い被さるようにズームリング１４の内径が拡大されている。
【００４３】
ズームリング１４の内周面には，光軸に対して螺旋状にカム溝４０が形成されている。レンズ枠２４に装着された係合ピン３４は，ズームリング１４のカム溝４０に係合する。従って，ズームリング１４を回動操作すると，ズームリング１４のカム溝４０と固定筒２０の直進溝３６との交差位置が光軸方向に変位するとともに，その交差位置に従って係合ピン３４，レンズ枠２４，およびズームレンズ３２が光軸方向に変位する。このように，ズームリング１４を回動操作することによって，ズームレンズ３２の設定位置を調整して焦点距離（ズーム画角）を調整することができる。
【００４４】
なお，上述の構成では，固定筒２０に直進溝３０，３６を設け，フォーカスリング１２，ズームリング１４に螺旋状のカム溝３８,４０を設けているが，固定筒２０に螺旋状のカム溝を設け，フォーカスリング１２又はズームリング１４に直線のカム溝を設けても良い。また，固定筒２０とフォーカスリング１２又はズームリング１４の双方に螺旋状のカム溝を設けても良い。
【００４５】
図１に示すように，フォーカスリング１２の前側の端部には，外周上に凹凸部４２が設けられている。また，ズームリング１４の前側の端部には，外周上に複数の爪４４が設けられている。フォーカスリング１２は，操作者が凹凸部４２を保持することによって回動される。一方，ズームリング１４は，操作者が爪４４を保持することによって回動される。本実施形態の監視用レンズ装置１０によれば，ズームリング１４に延長部１５が設けられ，ズームリング１４の前側がフォーカスリング１２を覆うように構成されているため，凹凸部４２及び爪４４を近接して設けることができ，且つ，凹凸部４２及び爪４４を共に監視用レンズ装置１０の前端部に設けることができる。
【００４６】
ズームリング１４の延長部１５がフォーカスリング１２を覆う部位では，ズームリング１４の内周面とフォーカスリング１２の外周面との間に所定の隙間が設けられている。なお，本実施形態の監視用レンズ装置１０では，フォーカスリング１２がズームリング１４よりも被写体側に設けられているが，ズームレンズ３２がフォーカスレンズ２６よりも被写体側に位置している場合は，ズームリング１４がフォーカスリング１２よりも被写体側に位置するように構成しても良い。この場合，フォーカスリング１２に延長部を設け，延長部がズームリング１４を覆うように構成する。
【００４７】
ロックつまみ１６は，ズームリング１４の延長部１５の外周に突出するように設けられている。図２に示すように，ロックつまみ１６の光軸側の外周には雄ネジ４６が形成されている。雄ネジ４６は，フォーカスリング１２に設けられた雌ネジ４８と係合している。ズームリング１４には，ロックつまみ１６の雄ネジ４６の径よりも幅の広い開孔部５０が形成されている。ロックつまみ１６は，開孔部５０に挿入され，雄ネジ４６と雌ネジ４８が係合することにより，フォーカスリング１２に対して装着される。図１に示すように，開孔部５０は，ズームリング１４の円周方向に長孔形状で形成されている。より詳細には，開孔部５０は，フォーカスリング１２とズームリング１４が相対的に回転した際に，ロックつまみ１６と開孔部５０とが干渉しないように所定の角度範囲で形成されている。
【００４８】
また，ロックつまみ１６には，フランジ部５２が形成されている。ロックつまみ１６がフォーカスリング１２に装着された状態では，フランジ部５２とズームリング１４の外周面が対向するように構成されている。
【００４９】
ロックつまみ１６を締め込むと，雄ネジ４６と雌ネジ４８の係合によってロックつまみ１６の先端が固定筒２０の外周に当接する。これにより，フォーカスリング１２の回転位置が固定される。また，ロックつまみ１６を締め込むと，フランジ部５２がズームリング１４の延長部１５の外周に当接する。これにより，ズームリング１４の回転位置が固定される。
【００５０】
図２に示すように，固定筒２０の後端部には撮像素子ホルダ５４が装着されている。撮像素子ホルダ５４には，基板５６が装着されている。基板５６にはＣＣＤ（撮像素子）５８が実装されている。ＣＣＤ５８の前側にはシールゴム５９が設けられており，シールゴム５９の更に前側にはローパスフィルタ（ＯＬＰＦ）６０が配置されている。ローパスフィルタ６０の前部は，撮像素子ホルダ５４の保持部６２に当接している。また，ローパスフィルタ６０の更に前側には，ＩＲカットフィルタ６４が配置されている。ＩＲカットフィルタ６４は，赤外線をカットするフィルタと赤外線を透過するフィルタの２つを備えている。ＩＲカットフィルタ６４が備える２つのフィルタの切り換えは，駆動装置１８の駆動によって行われる。
【００５１】
図３は，本実施形態にかかる監視用レンズ装置１０を備えた小型の監視カメラ６０を示す模式図である。図３に示す監視カメラ６０は，図４及び図５で説明したものと同様にドーム状の外観を有しており，基台６２，透明のケース部材６４，およびケース部材６４の内部に設けられ，監視用レンズ装置１０を覆うカバー部材６６を備えている。カバー部材６６には，監視用レンズ装置１０の先端部に対応した開口６８が設けられている。図４及び図５の監視カメラ１００と同様に，監視用レンズ装置１０は基台６２に対して角度θを可変することができ，また，基台６２に対して回転することができる。
【００５２】
本実施形態の監視用レンズ装置１０によれば，ズームリング１４に延長部１５が設けられ，ズームリング１４の前側部分がフォーカスリング１２を覆うように延長されているため，フォーカスリング１２の操作部（凹凸部４２）とズームリング１４の操作部（爪４４）を近接して配置することが可能となる。そして，フォーカスリング１２の操作部とズームリング１４の操作部をともに監視用レンズ装置１０の前側の端部近傍に配置することができる，フォーカスリング１２，ズームリング１４の双方を監視用レンズ装置１０の前側の端部近傍で操作することができる。これにより，フォーカスリング１２，ズームリング１４を操作する際に，指先を監視用レンズ装置１０の後側まで挿入する必要がなくなり，フォーカスリング１２，ズームリング１４を容易に操作することが可能となる。
【００５３】
特に，延長部１５を設けたことによって，ズームリング１４の操作部（爪４４）を監視用レンズ装置１０の前側に設けることができるため，光軸方向の後側に設けられたズームリング１４を容易に操作することが可能となる。また，フォーカスリング１２，ズームリング１４を固定するロックつまみ１６を１つに集約し，監視用レンズ装置１０の前側に配置したため，ロックつまみ１６の操作も容易に行うことができる。
【００５４】
従って，監視用レンズ装置１０が小型の監視カメラ６０に搭載された場合に，カバー部材６６の開口６８が非常に小さい場合であっても，開口５０から奥側に指先を挿入することなく，フォーカスリング１２，ズームリング１４の操作を容易に行うことができる。また，ロックつまみ１６を操作する際にも，開口５０から奥側に指先を挿入することなく，ロックつまみ１６を容易に操作することが可能となる。
【００５５】
更に，フォーカスリング１２とズームリング１４を１つのロックつまみ１６で一度にロックすることができるため，フォーカスリング１２とズームリング１４のロックを簡便に行うことができ，部品点数を削減することも可能となる。
【００５６】
従って，本実施形態によれば，監視カメラ６０が小型であり，監視用レンズ装置１０の近傍に充分なスペースが確保できない場合においても，フォーカスリング１２，ズームリング１４の操作，およびロックつまみ１６によるリングの固定を容易に行うことが可能となる。従って，監視カメラ６０を天井，壁面等に装着した後においても，ケース部材６４を外すのみで，フォーカス，ズームの調整を容易に行うことが可能となる。
【００５７】
また，監視カメラがケース部材６４，カバー部材６６を有していない場合においても，フォーカスリング１２，ズームリング１４の双方を監視用レンズ装置１０の前側の端部近傍で操作することが可能となる。従って，操作者の体の向き，手の向きに対して，監視用レンズ装置１０が操作しづらい方向を向いている場合であっても，フォーカスリング１２，ズームリング１４を容易に操作することが可能となる。また，フォーカスリング１２，ズームリング１４の双方を監視用レンズ装置１０の前側の端部近傍で操作することができるため，図５で説明した角度θが非常に小さい場合であっても，フォーカスリング１２，ズームリング１４を容易に操作することが可能となる。
【００５８】
以上説明したように本実施形態によれば，フォーカスリング１２の操作部とズームリング１４の操作部を近接させ，各操作部を監視用レンズ装置１０の前側の端部近傍に設けたため，フォーカスリング１２とズームリング１４の双方を監視用レンズ装置１０の前端部近傍で操作することが可能となる。従って，監視用レンズ装置１０が小型の監視カメラ６０に搭載されており，監視用レンズ装置１０の周辺に十分なスペースが確保できない場合であっても，フォーカスリング１２，ズームリング１４の操作を容易に行うことができる。
【００５９】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【図面の簡単な説明】
【００６０】
【図１】本発明の一実施形態にかかる監視用レンズ装置と，その周辺の構成を示す模式図である。
【図２】監視用レンズ装置の構成を詳細に示す断面図である。
【図３】本発明の一実施形態にかかる監視用レンズ装置を備えた小型の監視カメラを示す斜視図である。
【図４】ドーム型の監視カメラを示す斜視図である。
【図５】監視カメラが天井に取り付けられた状態を示す断面図である。
【符号の説明】
【００６１】
１０      監視用レンズ装置
１２      フォーカスリング
１４      ズームリング
１５      延長部
１６      ロックつまみ
２０      固定筒
２２，２４      レンズ枠
３８,４０  カム溝
５０      開孔部
６０      監視カメラ
６４      ケース部材
６６      カバー部材
６８      開口
【図１】
0004810308.tif 000002
【図２】
0004810308.tif 000003
【図３】
0004810308.tif 000004
【図４】
0004810308.tif 000005
【図５】
0004810308.tif 000006